(57)【要約】【課題】オムツ着用者特に排泄障害者のオムツ交換時の異臭を脱臭或いは消臭し快適な環境を現出する。【解決手段】内装材と水分吸収層と外装材とを積層したオムツにおいて、前記積層間に脱臭剤層を挿入し、又は前記内装材、水分吸収層或いは外装材内側に、前記脱臭剤を担持することによってオムツ交換時の異臭を吸着脱臭するオムツであることを特徴とする。【効果】市販オムツのブランクでは、大便と小便を含むオムツを交換したときのメルカプタンガス濃度が１０ｐｐｍ前後であったのに対し、前記活性炭を担持したポリプロピレン製不織布を挿入した場合では、０．５ｐｐｍ程度まで低下しており著しく脱臭効果のあった。【選択図】  図１
2004237056.tif 000002
【特許請求の範囲】
【請求項１】
内装材と水分吸収層と外装材とを積層したオムツにおいて、前記積層間に脱臭剤層を挿入し、又は前記内装材、水分吸収層或いは外装材内側に、脱臭剤を担持することによってオムツ交換時の異臭を吸着脱臭する機能を有することによってなるオムツ。
【請求項２】
内装材と水分吸収層と外装材とを積層したオムツにおいて、前記積層間に消臭剤層を挿入し、又は前記内装材、水分吸収層或いは外装材内側に、前記消臭剤を担持或いは含浸することによってオムツ交換時の異臭を脱臭及び消臭する機能を有することによってなる請求項１に記載のオムツ。
【発明の詳細な説明】
【０００１】
【発明の属する技術分野】本発明は、乳幼児あるいは排泄障害者のためのオムツに適用される。
【０００２】
【従来の技術】近年、少子高齢化社会の到来により要介護者数も増加の一途をたどり、介護または介助するものの精神的或いは肉体的負担が社会問題となっている。特に排泄障害を有する者の場合には前記障害者が排泄を認識することができないため、日常的にオムツを着用させねばならず、前記障害者を介護或いは介助する者にとってオムツ交換時の異臭は不快感以外のなにものでもなく、ひいては室内環境も著しく損なう結果となっている。
【０００３】
【発明が解決しようとする課題】そこで本発明では、乳幼児或いは排泄障害者の排泄物である大便或いは小便等から発生する異臭を、内装材と水分吸収層と外装材とを積層したオムツにおいて、前記積層間に脱臭剤層又は消臭剤層を挿入し、又は前記内装材、水分吸収層或いは外装材に前記脱臭剤又は消臭剤を担持或いは含浸することによってオムツ交換時の異臭を脱臭或いは消臭し快適な環境を現出することにある。
【０００４】
【課題を解決するための手段】本発明のオムツは、請求項１の発明においては内装材と水分吸収層と外装材とを積層したオムツにおいて、前記積層間に脱臭剤層を挿入し、又は前記内装材、水分吸収層或いは外装材内側に脱臭剤を担持することによってオムツ交換時の異臭を吸着脱臭するオムツであることを特徴とする。
【０００５】請求項２の発明においては内装材と水分吸収層と外装材とを積層したオムツにおいて、前記積層間に脱臭剤層及び消臭剤層を挿入し、又は前記内装材、水分吸収層或いは外装材内側に、前記脱臭剤及び消臭剤を担持或いは含浸することによってオムツ交換時の異臭を吸着脱臭及び消臭する請求項１に記載のオムツであることを特徴とする。
【０００６】
【発明の実施の形態】図１に本発明を適用したオムツの第一実施形態を示す。内装材２と水分吸収層３と外装材４とを積層したオムツ１において、前記水分吸収層３と外装材４との積層間に脱臭剤層７を挿入し便から発する異臭がオムツ１の外装材４の外側に向かって発散するところを吸着脱臭するようにした。
【０００７】図２に本発明を適用したオムツの第二実施形態を示す。内装材２と水分吸収層３と外装材４とを積層したオムツ９において、前記水分吸収層３と外装材４との積層間に内側から消臭剤層８、脱臭剤層７の順に挿入し便から発する異臭がオムツ９の外装材４の外側に向かって発散するところを消臭並びに吸着脱臭するようにした。
【０００８】本発明によれば、内装材２と水分吸収層３と外装材４とを順次積層するオムツ１において、使用者の肌に直接接触する内装材２と、大便あるいは小便に含まれる水分を吸収する水分吸収層３と、水分吸収層３で吸収した水分を外部に漏らさない機能を有する外装材４との積層において、内装材２と水分吸収層３又は水分吸収層３と外装材４との層間の全面或いは一部の面に、前記脱臭剤５をシート状に成形したものを挿入することを特徴とする。
【０００９】また、前記内装材２と水分吸収層３と外装材４とを順次積層するオムツ９において、使用者の肌に直接接触する内装材２と、大便或いは小便に含まれる水分を吸収する水分吸収層３と、水分吸収層３で吸収した水分を外部に漏らさない機能を有する外装材４との積層において、内装材２又は水分吸収層３或いは外装材４の全面又は一部の面に、前記内装材２又は水分吸収層３或いは外装材４を構成する材料に脱臭剤５または消臭剤６を担持または含浸させることを特徴とする。
【００１０】また、前記脱臭剤５としては天然椰子殼由来活性炭、石炭系活性炭、石油系活性炭等が好ましく、コスト面からは天然椰子殼由来活性炭の篩い下品が特に好ましい。
【００１１】また、前記消臭剤６は酢酸、安息香酸、イオン消臭剤、天然物由来の消臭剤として植物抽出物、トウモロコシ由来消臭成分、植物抽出フィトンチッド、牛樟、柑橘系消臭剤、天然ハーブ、天然ポリフェノール等が好ましく、有機合成消臭剤として両性界面活性剤系消臭剤、ジブチルヒドロキシトルエン、ポリオキシエチレンラウリルエーテル硫酸塩、メタクリル酸エステル、エーテル、グリコールエーテル等が好ましい。また、脱臭剤或いは消臭剤ともに前記脱臭剤又は消臭剤に限らず、この他の脱臭剤または消臭剤でもよい。
【００１２】また、脱臭剤５については固体状のものであるため、適度の粒径に調整して少量の接着剤を用いて、前記内装材２又は前記水分吸収層３或いは前記外装材４内側に担持することが好ましい。
【００１３】また、消臭剤６については液状消臭剤の場合には、前記内装材２又は前記水分吸収層３或いは前記外装材４内側に含浸することが好ましく、固体状消臭剤の場合には前記固体状脱臭剤の場合と同様に少量の接着剤を用いて前記内装材２又は前記水分吸収層３或いは前記外装材４内側に担持することが好ましい。
【００１４】ここで、第１実施形態では、使用者の肌と直接接触する内装材２と、大便あるいは小便に含まれる水分を吸収する水分吸収層３と、水分吸収層３で吸収した水分を外部に漏らさない機能を有する外装材４との積層方法において、市販のオムツの水分吸収層３と外装材４内側との間に厚さ２．０ｍｍのポリプロピレン製不織布に比表面積１２００ｇ／ｍ２なる活性炭粒子を散布量１００ｇ／ｍ２の割合で担持した後に水分吸収層３と同じ寸法に裁断したものを挿入し、実用試験を実施したところ、市販オムツのブランクでは、大便と小便を含むオムツを交換したときのメルカプタンガス濃度が１０ｐｐｍ前後であったのに対し、前記活性炭を担持したポリプロピレン製不織布を挿入した場合では、０．５ｐｐｍ程度まで低下しており著しく脱臭効果があった。
【００１５】さらに、第２実施形態では、使用者の肌と直接接触する内装材２と、大便あるいは小便に含まれる水分を吸収する水分吸収層３と、水分吸収層３で吸収した水分を外部に漏らさない機能を有する外装材４との積層方法において、市販のオムツの内装材２と水分吸収層３との間に厚さ３．０ｍｍのポリプロピレン製不織布に１００％酢酸の散布量が１０ｇ／ｍ２になるよう前記酢酸水溶液を含浸し乾燥した後に前記水分吸収層３と同じ寸法に裁断したものを挿入し、実用試験を実施したところ、市販のオムツのブランクでは、小便を含むオムツを交換したときのアンモニアガス濃度が８ｐｐｍであったのに対し、前記酢酸を含浸した綿布を挿入した場合では、０．４ｐｐｍまで低下しており著しく消臭効果があった。
【００１６】ここで、第１実施形態では活性炭粒子を担持した不織布を水分吸収層３と外装材４内側との間に挿入し、第２実施形態では酢酸を含浸したポリプロピレン製不織布を内装材２と水分吸収層３との間に挿入し実用試験を実施したが、挿入する位置は必ずしもこれに限らない。また、担持する活性炭量および含浸する酢酸量についても必ずしもこれに限らない。
また、脱臭剤および消臭剤は、何れか一方を使用してもよく両方の組合せによる方法でもよい。
【００１７】
【発明の効果】本発明によれば、小児用または排泄障害者用のオムツについて、使用者の直接肌に接触する内装材と大便や小便等の排泄物に含まれる水分を吸収するための水分吸収層と水分吸収層で吸収した水分を外部に漏らさない機能を有する外装材との積層方法において、オムツの水分吸収層と外装材内側との間に厚さ２．０ｍｍのポリプロピレン製不織布に比表面積１２００ｇ／ｍ２なる活性炭を散布量１００ｇ／ｍ２の割合で担持した後に水分吸収層と同じ寸法に裁断したものを挿入し実用試験を実施したところ、オムツの大便と小便とからなる排泄物から発生する異臭のガス濃度が著しく低減した。
【００１８】またさらに、前記オムツの内装材層と水分吸収層との間に厚さ３．０ｍｍの綿布に１００％酢酸散布量が１０ｇ／ｍ２になるよう前記酢酸水溶液を含浸し乾燥した後に前記水分吸収層と同じ寸法に裁断したものを挿入し実用試験を実施したところ、オムツの小便から発生する異臭のガス濃度が著しく低減した。
【００１９】これらの方法により使用者はもとより排泄障害者を介護介助するものの異臭による精神的肉体的負担を著しく軽減することができる。また当然のことながら、排泄障害者の住まい特有の異臭解消にもきわめて大きな効果がある。
【００２０】特に活性炭を使用した脱臭機能を有するオムツにおいては、水分を吸着せずガスを吸着するという活性炭の持つ性質を活用したところに特徴があり、このオムツを使用することによる排泄物からの異臭を脱臭除去することの他に、未使用のオムツを室内に置いておくだけで、前記室内の臭気を脱臭してくれるため室内は臭気の少ない爽やかな環境が得られるのも脱臭機能を有するオムツの副次的効果である。
【００２１】またコスト面においても椰子殼活性炭篩い下品は数十円／ｋｇと安価なためオムツ製造コストも大きく上昇することがないので、使用者にとっても経済的負担が大きくならずに済み、従来使われずに廃棄処分されていた椰子殻由来活性炭篩い下品を有効活用することができ、さらに使用後は燃えるゴミとして焼却処分することができるため地球環境にもきわめて優しい方法であることを特徴とする。
【００２２】
【図面の簡単な説明】
【図１】には第１実施形態におけるオムツの構成を示す図である。
【図２】には第２実施形態におけるオムツの構成を示す図である。
【００２３】
【符号の説明】１・・・オムツ          ２・・・内装材
３・・・水分吸収層      ４・・・外装材
５・・・脱臭剤          ６・・・消臭剤
７・・・脱臭剤層        ８・・・消臭剤層
９・・・オムツ
【図１】
2004237056.tif 000003
【図２】
2004237056.tif 000004